【手続補正書】
【提出日】平成26年1月21日(2014.1.21)
【手続補正１】
【補正対象書類名】明細書
【補正対象項目名】００７２
【補正方法】変更
【補正の内容】
【００７２】
図８Ｂでは、列（ａ）のコンポーネント１０４がインアクティブにされて列（ｂ）のコンポーネント１０４の電極３０２のみがアクティブにされる。図８Ｃでは、列（ｂ）のコンポーネント１０４がインアクティブにされて列（ｃ）のコンポーネント１０４の電極３０２のみがアクティブにされる。この逐次プロセスにより、垂直直線掃引組織加熱波効果がもたらされる。これは、矢印８００で示す方向において列（ａ）から列（ｃ）への水平方向に移動する対応エリア８２８により、組織層（図示せず）にもたらされる。
【手続補正２】
【補正対象書類名】特許請求の範囲
【補正対象項目名】全文
【補正方法】変更
【補正の内容】
【特許請求の範囲】
【請求項１】
ボディコントワリング装置であって、
対象の身体の少なくとも一部を収容するべく動作可能な少なくとも１つの身体収容表面と、
コントローラと、
ＲＦエネルギー源と、
前記身体収容表面に取り外し可能に接続された少なくとも１つのエネルギー送達モジュラーコンポーネントであって、前記コントローラ及び前記ＲＦエネルギー源と通信し、及び、被トリートメント組織のセグメントにわたり加熱された領域の進行を生じさせる掃引組織加熱波効果をもたらすべく動作可能な少なくとも２つのＲＦ送達電極を有するエネルギー送達モジュラーコンポーネントと
を含む装置。
【請求項２】
前記装置はさらに、
温度センサ、圧力センサ、インピーダンスセンサからなる群から選択される少なくとも１つのセンサと、
タイマーと
を含み、
前記コントローラは、所定のトリートメントプロトコルに応じて前記センサ及びタイマーと通信し、これらから受け取ったデータをデータベースに格納し、並びに、前記エネルギー送達モジュラーコンポーネントに関連するトリートメントパラメータをモニタするべく動作可能である、請求項１に記載の装置。
【請求項３】
前記身体収容表面及びエネルギー送達モジュラーコンポーネントの少なくとも１つは固定されている、請求項１に記載の装置。
【請求項４】
前記効果は、直線及び回転掃引組織加熱波効果の少なくとも１つである、請求項１に記載の装置。
【請求項５】
前記エネルギー送達モジュラーコンポーネントはさらに、被トリートメント組織のセグメントを加熱する可視及び赤外範囲の少なくとも１つの光を放出するべく動作可能な少なくとも１つの発光素子を含む、請求項１に記載の装置。
【請求項６】
前記トリートメントパラメータは、温度、圧力、並びにＲＦ電圧及び周波数からなる群から選択される少なくとも１つのパラメータである、請求項２に記載の装置。
【請求項７】
前記身体収容表面及び／又は前記エネルギー送達モジュラーコンポーネントは、これに接触する前記対象の身体の前記一部に機械エネルギーを適用するべく動作可能であり、前記コントローラはまた、適用された前記機械エネルギーをモニタかつ制御するべく動作可能である、請求項１に記載の装置。
【請求項８】
前記身体収容表面は、身体マッサージユニット、ポータブル振動適用クッション、身体サポートアクセサリ、スポーツ衣料、ウェスト引き締めマッサージベルト、及びトレッドミルの少なくとも１つと関連付けられる、請求項１に記載の装置。
【請求項９】
前記モジュラーコンポーネントは使い捨て可能である、請求項１に記載の装置。
【請求項１０】
前記モジュラーコンポーネントはさらに、ＲＦエネルギー、光エネルギー、機械エネルギーからなる群から選択される少なくとも１つのタイプのエネルギーを前記身体に適用するべく動作可能な複数の離間適用素子の所定パターンを１つの表面に有する少なくとも１つのキャリアを含む、請求項１に記載の装置。
【請求項１１】
前記ＲＦ送達電極により前記身体に適用される前記ＲＦエネルギーは、適用されるトリートメントのタイプ及び被トリートメント身体の部分に応じて１Ｗから４０Ｗの範囲にある、請求項１に記載の装置。
【請求項１２】
前記装置コントローラはさらに、ユーザ情報、好み及び設定、並びに以前のトリートメントセッションから受け取られたデータに関する情報の入力を可能とする少なくとも１つの自動及び手動入力機能を含む、請求項１に記載の装置。
【請求項１３】
前記自動入力機能は、センサ及びタイマーの少なくとも１つから受け取られた情報の自動入力を可能とする、請求項１２に記載の装置。
【請求項１４】
前記コントローラはさらに、
前記所定のトリートメントプロトコルに応じて美容トリートメントパラメータを調整することと、
センサ及びタイマーの少なくとも１つから入力された情報に関連して美容トリートメントパラメータを調整することと、
所定のトリートメントパラメータ及びトリートメント継続時間の少なくとも１つに応じてトリートメント適用を終了及び再開することと、
所定のトリートメントプロトコルに応じて前記トリートメントパラメータからの逸脱に関してユーザに警告することと、
使い捨て可能モジュラーコンポーネント交換時期警告をユーザに与えることと
の機能の少なくとも１つを実行するべく動作可能である、請求項１に記載の装置。
【請求項１５】
前記コントローラはさらに、
組織の過熱を防止するべくトリートメント継続時間を制限することと、
前記エネルギー送達モジュラーコンポーネントの使用時間を制限することと、
使い捨て可能モジュラーコンポーネントの交換時期警告を与えることと、
所定の使用回数又は最大許容使用継続時間に従うことと、
前記コントローラに使用回数、使用継続時間、及び使用日を含む使用データを前記コントローラに与えることと
を行うべく動作可能である、請求項１に記載の装置。
【請求項１６】
前記コントローラはさらに、
インターネットと通信することと、
前記インターネットから情報を受け取ることと、
受け取られた前記情報に応じて美容トリートメントパラメータを調整することと
を行うべく動作可能である、請求項１に記載の装置。
【請求項１７】
前記ＲＦエネルギー源は、使い捨て可能エネルギー源及び充電可能エネルギー源の少なくとも１つである、請求項１に記載の装置。
【請求項１８】
ボディコントワリング装置のための使い捨て可能エネルギー送達モジュラーコンポーネントであって、
対象の身体の少なくとも一部を収容するべく動作可能な少なくとも１つの身体収容接触表面と、
前記身体収容接触表面に取り付けられた少なくとも２つのＲＦエネルギー送達電極であって、前記対象の身体の前記少なくとも一部にＲＦエネルギーを適用し、及び、被トリートメント組織のセグメントにわたり加熱された領域の進行を生じさせる掃引組織加熱波効果をもたらすべく動作可能な少なくとも２つのＲＦエネルギー送達電極と、
前記対象の身体の前記少なくとも一部に機械エネルギーを伝達するべく動作可能な少なくとも１つの機械エネルギー送達素子と
少なくとも１つのセンサと
を含むコンポーネント。
【手続補正３】
【補正対象書類名】図面
【補正対象項目名】図６Ｃ
【補正方法】変更
【補正の内容】
【図６Ｃ】
2013520270.tif 000001
【手続補正４】
【補正対象書類名】図面
【補正対象項目名】図６Ｄ
【補正方法】変更
【補正の内容】
【図６Ｄ】
2013520270.tif 000002
【手続補正５】
【補正対象書類名】図面
【補正対象項目名】図６Ｅ
【補正方法】変更
【補正の内容】
【図６Ｅ】
2013520270.tif 000003
【手続補正６】
【補正対象書類名】図面
【補正対象項目名】図９Ａ
【補正方法】変更
【補正の内容】
【図９Ａ】
2013520270.tif 000004
【手続補正７】
【補正対象書類名】図面
【補正対象項目名】図９Ｂ
【補正方法】変更
【補正の内容】
【図９Ｂ】
2013520270.tif 000005
【手続補正８】
【補正対象書類名】図面
【補正対象項目名】図９Ｃ
【補正方法】変更
【補正の内容】
【図９Ｃ】
2013520270.tif 000006
【手続補正９】
【補正対象書類名】図面
【補正対象項目名】図９Ｄ
【補正方法】変更
【補正の内容】
【図９Ｄ】
2013520270.tif 000007